(57)【要約】【課題】再生できない放送信号の記録を少なくしつつ、放送信号の記録が中止されなくてもよい状況で放送信号の記録が中止されることを少なくできる放送番組記録装置および放送番組記録方法を提供する。【解決手段】放送番組記録装置は、番組を表す放送信号を受信する受信手段と、前記受信手段にて受信された放送信号を、記録媒体に記録する記録手段と、前記受信手段にて受信された放送信号の受信品質が、規定時間の間、規定値よりも低いと、前記記録手段による記録を中止させ、その後、当該受信品質が、前記規定値以上になると、前記記録手段による記録を再開させる制御手段と、を含む。【選択図】図１
2010141810.tif 000002
【特許請求の範囲】
【請求項１】
番組を表す放送信号を受信する受信手段と、
前記受信手段にて受信された放送信号を、記録媒体に記録する記録手段と、
前記受信手段にて受信された放送信号の受信品質が、規定時間の間、規定値よりも低いと、前記記録手段による記録を中止させ、その後、当該受信品質が、前記規定値以上になると、前記記録手段による記録を再開させる制御手段と、を含む放送番組記録装置。
【請求項２】
請求項１に記載の放送番組記録装置において、
前記制御手段は、前記受信品質が前記規定値よりも継続的に低い状態である受信品質劣化時間をカウントし、当該受信品質劣化時間が前記規定時間以上である場合、当該受信品質劣化時間を示す時間情報を前記記録媒体に記録する処理を前記記録手段に実行させる、放送番組記録装置。
【請求項３】
請求項２に記載の放送番組記録装置において、
表示手段と、
前記記録媒体に記録された放送信号を読み出して、当該放送信号が表す番組を、前記表示手段に表示すると共に、前記記録媒体に記録された時間情報を読み出して、当該時間情報が表す受信品質劣化時間を、前記表示手段に表示する再生手段と、をさらに含む、放送番組記録装置。
【請求項４】
請求項１から３のいずれか１項に記載の放送番組記録装置において、
前記制御手段は、前記規定時間を設定するための規定時間情報を受け付けると、当該規定時間情報に基づいて前記規定時間を設定する、放送番組記録装置。
【請求項５】
放送番組記録装置が行う放送番組記録方法であって、
番組を表す放送信号を受信し、
前記放送信号を、記録媒体に記録し、
前記放送信号の受信品質が、規定時間の間、規定値よりも低いと、前記放送信号の記録を中止し、その後、当該受信品質が、前記規定値以上になると、前記放送信号の記録を再開する、放送番組記録方法。
【請求項６】
請求項５に記載の放送番組記録方法において、
前記受信品質が前記規定値よりも継続的に低い状態である受信品質劣化時間をカウントし、
前記受信品質劣化時間が前記規定時間以上である場合、当該受信品質劣化時間を示す時間情報を前記記録媒体に記録すること、をさらに含む、放送番組記録方法。
【請求項７】
請求項６に記載の放送番組記録方法において、
前記記録媒体に記録された放送信号を読み出して、当該放送信号が表す番組を、表示手段に表示すると共に、前記記録媒体に記録された時間情報を読み出して、当該時間情報が表す受信品質劣化時間を、前記表示手段に表示すること、をさらに含む、放送番組記録方法。
【請求項８】
請求項５から７のいずれか１項に記載の放送番組記録方法において、
前記規定時間を設定するための規定時間情報を受け付けると、当該規定時間情報に基づいて前記規定時間を設定する、放送番組記録方法。
【発明の詳細な説明】
【技術分野】
【０００１】
本発明は、放送番組記録装置および放送番組記録方法に関する。
【背景技術】
【０００２】
放送局から放送された番組を表す放送信号（以下、単に「放送信号」と称する）を受信して記録する放送番組記録装置が知られている。
【０００３】
特許文献１には、デジタル方式の放送信号を受信して記録する携帯端末等のデジタル放送受信装置が記載されている。
【０００４】
特許文献２には、記録中のデジタル放送信号の電界レベルが劣化すると、放送信号の記録を直ちに中止し、その後、所定時間経過すると、受信可能なチャネルをサーチする携帯情報端末が記載されている。
【特許文献１】特開２００５−３１１５５０号公報
【特許文献２】特開２００５−２３６４５３号公報
【発明の開示】
【発明が解決しようとする課題】
【０００５】
特許文献１に記載されたような移動可能なデジタル放送受信装置は、例えば、デジタル放送信号の電界レベルが著しく低い場所でデジタル放送信号の記録を行うと、デジタル放送信号の受信品質の劣化によって再生できない放送信号を、記録媒体に記録してしまう。このため、記録媒体のうち再生できない放送信号を記録した部分が無駄になる。
【０００６】
特許文献２に記載の携帯情報端末は、記録中のデジタル放送信号の電界レベルが劣化すると、放送信号の記録を直ちに中止する。このため、再生できない放送信号を記録媒体に記録することを防止可能となる。
【０００７】
しかしながら、特許文献２に記載の携帯情報端末は、記録中のデジタル放送信号の電界レベルが、一時的に劣化した場合にも、放送信号の記録を中止してしまう。
【０００８】
このため、記録中のデジタル放送信号の電界レベルの劣化が、一時的であり、デジタル放送信号に応じた番組の視聴に大きな影響を与えないような場合にも、放送信号の記録が中止されてしまう。
【０００９】
よって、放送信号の記録が中止されなくてもよい状況で放送信号の記録が中止されるという課題があった。
【００１０】
本発明の目的は、上記課題を解決可能な放送番組記録装置および放送番組記録方法を提供することである。
【課題を解決するための手段】
【００１１】
本発明の放送番組記録装置は、番組を表す放送信号を受信する受信手段と、前記受信手段にて受信された放送信号を、記録媒体に記録する記録手段と、前記受信手段にて受信された放送信号の受信品質が、規定時間の間、規定値よりも低いと、前記記録手段による記録を中止させ、その後、当該受信品質が、前記規定値以上になると、前記記録手段による記録を再開させる制御手段と、を含む。
【００１２】
本発明の放送番組記録方法は、放送番組記録装置が行う放送番組記録方法であって、番組を表す放送信号を受信し、前記放送信号を、記録媒体に記録し、前記放送信号の受信品質が、規定時間の間、規定値よりも低いと、前記放送信号の記録を中止し、その後、当該受信品質が、前記規定値以上になると、前記放送信号の記録を再開する。
【発明の効果】
【００１３】
本発明によれば、再生できない放送信号の記録を少なくしつつ、放送信号の記録が中止されなくてもよい状況で放送信号の記録が中止されることを少なくできる。
【発明を実施するための最良の形態】
【００１４】
以下、本発明の実施形態について図面を参照して説明する。
【００１５】
図１は、本発明の一実施形態の携帯端末１００を示したブロック図である。
【００１６】
図１において、携帯端末１００は、デジタル放送受信アンテナ（以下、単に「アンテナ」と称する）１０と、チューナ２０と、デジタル放送信号処理部（以下、単に「処理部」と称する）３０と、記憶部４０と、データ書込部５０と、データ書込制御部（以下、単に「制御部」と称する）７０と、表示部８０と、再生部９０と、を含む。アンテナ１０と、チューナ２０と、処理部３０と、記憶部４０とは、受信部１００ａに含まれる。
【００１７】
携帯端末１００は、放送番組記録装置の一例である。
【００１８】
受信部１００ａは、一般的に受信手段と呼ぶことができる。受信部１００ａは、番組を表す放送信号を受信する。本実施形態では、番組として、テレビ番組が用いられる。
【００１９】
アンテナ１０は、放送局から放送された番組を表すデジタル放送信号を受信する。
【００２０】
チューナ２０は、アンテナ１０が受信したデジタル放送信号を復調する。チューナ２０は、復調されたデジタル放送信号を、処理部３０に提供する。
【００２１】
処理部３０は、復調されたデジタル放送信号を受け付けると、そのデジタル放送信号を信号処理して、映像および音声データと受信品質データとを生成する。処理部３０は、映像および音声データを、記憶部４０に一時的に記録する。処理部３０は、受信品質データを、制御部７０に提供する。
【００２２】
記憶部４０は、映像および音声データを一時的に記憶する。
【００２３】
データ書込部５０は、一般的に記録手段と呼ぶことができる。
【００２４】
データ書込部５０は、受信部１００ａにて受信された放送信号を、外部記憶媒体６０に記録する。
【００２５】
本実施形態では、データ書込部５０は、録画の指定（例えば、録画予約）が行われた番組（映像および音声データ）が記憶部４０に記録されると、記憶部４０内の映像および音声データを、外部記憶媒体６０に書き込む。
【００２６】
外部記憶媒体６０は、一般的に記録媒体と呼ぶことができる。
【００２７】
外部記憶媒体６０は、携帯端末１００に挿抜可能な記憶媒体であり、デジタル放送番組の再生時に必要な映像および音声データを記憶する。
【００２８】
制御部７０は、一般的に制御手段と呼ぶことができる。
【００２９】
制御部７０は、処理部３０からの受信品質データに基づいて、受信部１００ａにて受信された放送信号の受信品質を判定する。
【００３０】
制御部７０は、受信品質が低く再生時に視聴できないほど劣化した放送信号（映像および音声データ）を、規定時間以上記録しないように、データ書込部５０を制御する。
【００３１】
本実施形態では、制御部７０は、受信部１００ａにて受信された放送信号の受信品質が、規定時間の間、規定値よりも低いと、データ書込部５０による記録を中止させ、その後、放送信号の受信品質が、規定値以上になると、データ書込部５０による記録を再開させる。
【００３２】
制御部７０は、受信品質が規定値以下に劣化した時間が規定時間以上である場合、その時間をカウントし、その時間を示す情報を外部記憶媒体６０に書き込むように、データ書込部５０を制御する。
【００３３】
本実施形態では、制御部７０は、放送信号の受信品質が規定値よりも継続的に低い状態であった時間（以下「受信品質劣化時間」と称する）をカウントする。制御部７０は、受信品質劣化時間が規定時間以上である場合、受信品質劣化時間を示す時間情報を外部記憶媒体６０に記録する処理を、データ書込部５０に実行させる。
【００３４】
なお、制御部７０は、規定時間を設定するための規定時間情報を受け付けると、その規定時間情報に基づいて規定時間を設定してもよい。
【００３５】
例えば、制御部７０は、任意の時間を示す規定時間情報を受け付けると、その規定時間情報に示された時間を、規定時間として用いる。
【００３６】
表示部８０は、一般的に表示手段と呼ぶことができる。
【００３７】
再生部９０は、一般的に再生手段と呼ぶことができる。
【００３８】
再生部９０は、外部記憶媒体６０に記録された放送信号（映像および音声データ）を読み出して、その放送信号が表す番組を、表示部８０に表示すると共に、外部記憶媒体６０に記録された時間情報を読み出して、その時間情報が表す受信品質劣化時間を、表示部８０に表示する。
【００３９】
次に、動作の概要を説明する。
【００４０】
制御部７０は、処理部３０の出力した受信品質データを入力し、受信品質が規定値より高い（良い）か低い（悪い）かを判別する。
【００４１】
データ書込部５０による記録が停止されていない状況で、受信品質が規定値より高い場合には、制御部７０は、データ書込部５０に対して指示を出さない。
【００４２】
受信品質が規定値より低くなった場合に、制御部７０は、受信品質が規定値より低い時間（受信品質劣化時間）のカウントを行い、受信品質劣化時間と規定時間と比較する。
【００４３】
ここで規定時間とは、受信品質が規定値よりも低い放送信号を外部記憶媒体６０に書き込む最長時間を規定するための時間である。規定時間は、ユーザが規定時間情報を用いて設定可能なパラメータとすることができる。
【００４４】
受信品質劣化時間が規定時間より短い場合には、制御部７０は、データ書込部５０に対して指示を出さない。
【００４５】
受信品質劣化時間が規定時間を越えた場合、制御部７０は、データ書込部５０に対して、外部記憶媒体６０への放送信号（映像および音声データ）の書込みを停止する旨の中止通知を提供する。
【００４６】
データ書込部５０は、この中止通知を受け付けると、放送信号（映像および音声データ）を、外部記憶媒体６０へ書込むこと（記録）を停止する。よって、受信品質劣化時間が規定時間を越えたところ以降の放送信号（映像および音声データ）は、外部記憶媒体６０へ記録されなくなる。
【００４７】
その後、受信品質が規定値以上に戻った場合に、制御部７０は、データ書込部５０に対して、受信品質が規定値以下となっていた継続時間つまり受信品質劣化時間を表す時間情報を通知し、また、外部記憶媒体６０への放送信号（映像および音声データ）の書き込みを再開する旨の再開通知を提供する。
【００４８】
データ書込部５０は、受信品質劣化時間を表す時間情報と再開通知とを受け付けると、外部記憶媒体６０に、その時間情報を書き込み、また、受信品質が規定値以上に戻った映像および音声データから外部記憶媒体６０への書込みを再開する。
【００４９】
なお、再生部９０は、外部記憶媒体６０内の時間情報が示す受信品質劣化時間を、記録された番組の再生時に、表示部８０に、ブルーバック画面と共に受信できなかった時間として表示する。
【００５０】
次に、動作を説明する。
【００５１】
図２は、携帯端末１００の動作を説明するためのタイミング図である。
【００５２】
図２（ａ）は、処理部３０が出力する映像および音声データを示す。
【００５３】
図２（ａ）において、区間Ｔ１−Ｔ２および区間Ｔ４−Ｔ６では、放送信号の受信品質が規定値以下になっている。
【００５４】
このため、区間Ｔ１−Ｔ２および区間Ｔ４−Ｔ６では、制御部７０は、処理部３０の出力する受信品質データを用いて、受信品質劣化時間をカウントする。
【００５５】
図２（ｂ）の論理“Ｈ”の部分が、カウントされた受信品質劣化時間を示す。
【００５６】
制御部７０は、受信品質劣化時間を、図２（ｃ）に示す規定時間と比較する。
【００５７】
区間Ｔ１−Ｔ２での受信品質劣化時間は、規定時間よりも短い。このため、区間Ｔ１−Ｔ２での受信品質劣化時間は無視される。
【００５８】
しかし、区間Ｔ４−Ｔ６での受信品質劣化時間は、規定時間（区間Ｔ４−Ｔ５）よりも長い。この場合、制御部７０は、図２（ｄ）のＴ５のタイミングで、データ書込部５０に対して、中止通知を提供する。
【００５９】
その後、図２（ｄ）のＴ６のタイミングで映像および音声データの受信品質が規定値以上に改善したとき、制御部７０は、データ書込部５０に対して、再開通知を提供する。
【００６０】
その際、制御部７０は、カウントした図２（ｂ）の区間Ｔ４−Ｔ６の受信品質劣化時間を表す時間情報を、データ書込部５０に渡す。データ書込部５０は、その時間情報を受け付けると、外部記憶媒体６０に、その時間情報（受信品質劣化時間）を書き込む。
【００６１】
録画したデジタル放送番組の再生時には、再生部９０は、受信品質劣化部分を、表示部８０に、規定時間だけブルーバック画面で表示し、また、受信品質劣化時間も表示する。このため、ユーザは視聴できなかった時間を知ることができる。
【００６２】
図２（ｅ）は、外部記憶媒体６０に記録された放送信号（映像および音声データ）を示している。
【００６３】
区間Ｔ１−Ｔ２は規定時間より短いため、受信品質が劣化した放送信号（映像および音声データ）は、そのまま外部記憶媒体６０に書き込まれる。
【００６４】
区間Ｔ４−Ｔ６では、受信品質が劣化した放送信号（映像および音声データ）のうち、規定時間より長い区間Ｔ５−Ｔ６の部分が、外部記憶媒体６０に書き込まれず、区間Ｔ４−Ｔ５の部分のみが、外部記憶媒体６０に書き込まれる。
【００６５】
図３は、デジタル放送の受信品質と外部記憶媒体６０へのデータ書込みとの関係を説明するためのフローチャートである。
【００６６】
携帯端末１００において、データ書込部５０による放送信号の記録（録画）が開始されると、制御部７０は、処理部３０の出力する受信品質データにより、放送信号の受信品質が規定値以上かを判別する（ステップ２００）。
【００６７】
受信品質が規定値以上である場合、映像・音声データは、外部記憶媒体６０にそのまま記録される（ステップ２５０）。
【００６８】
受信品質が規定値未満である場合、制御部７０は、カウントした受信品質劣化時間を規定時間と比較し（ステップ２１０）、受信品質劣化時間が規定時間以上である場合に、制御部７０は、データ書込部５０に対して、中止通知を提供する（ステップ２２０）。
【００６９】
そのまま記録が終了した場合には、制御部７０は、受信品質劣化時間を表す時間情報と、この時間情報を外部記憶媒体６０に書き込む旨の通知とを、データ書込部５０に提供する。データ書込部５０は、この通知と時間情報とを受け付けると、受信品質劣化時間を示す時間情報を、外部記憶媒体６０に書き込む（ステップ２３０、２４０）。
【００７０】
記録終了前に受信品質が規定値以上に改善した場合（ステップ２７０）、外部記憶媒体６０に、それまで続いた受信品質劣化時間が書き込まれ、また、映像および音声データの書込みが再開される（ステップの２８０）。
【００７１】
次に、本実施形態の効果を説明する。
【００７２】
第一の効果は、携帯端末１００がデジタル放送信号の受信電界レベルの著しく低い場所で、デジタル放送信号の記録を行う場合、デジタル放送番組が再生できない受信品質の劣化した映像・音声データを外部記憶媒体に規定時間以下しか記憶しないようにし、外部記憶媒体６０の容量を無駄に使用することがないようにできるということである。その理由は、受信品質を判別して外部記憶媒体６０へのデータ書込みを停止するからである。
【００７３】
第二の効果は、録画時に受信品質の劣化により視聴できなくなってしまった時間を再生時に確認することができるということである。その理由は、受信品質が規定値以下になった時間をカウントし、外部記憶媒体６０にその時間を示すデータを書き込んでいるからである。
【００７４】
本実施形態によれば、制御部７０は、受信部１００ａにて受信された放送信号の受信品質が、規定時間の間、規定値よりも低いと、データ書込部５０による記録を中止させ、その後、放送信号の受信品質が、規定値以上になると、データ書込部５０による記録を再開させる。
【００７５】
このため、再生できない放送信号の記録を少なくしつつ、放送信号の記録が中止されなくてもよい状況で放送信号の記録が中止されることを少なくできる。例えば、記録中のデジタル放送信号の電界レベルの劣化が、一時的であり、デジタル放送信号に応じた番組の視聴に大きな影響を与えないような場合には、携帯端末１００は、放送信号の記録を中止せず継続することができる。
【００７６】
なお、この効果は、受信部１００ａとデータ書込部５０と制御部７０からなる携帯端末１００によっても奏することが可能である。
【００７７】
本実施形態では、制御部７０は、放送信号の受信品質が規定値よりも継続的に低い状態であった受信品質劣化時間をカウントする。制御部７０は、受信品質劣化時間が規定時間以上である場合、受信品質劣化時間を示す時間情報を外部記憶媒体６０に記録する処理を、データ書込部５０に実行させる。
【００７８】
このため、受信品質劣化時間を、放送信号と共に記録することが可能になる。
【００７９】
本実施形態では、再生部９０は、外部記憶媒体６０に記録された放送信号（映像および音声データ）を読み出して、その放送信号が表す番組を、表示部８０に表示すると共に、外部記憶媒体６０に記録された時間情報を読み出して、その時間情報が表す低品質時間を、表示部８０に表示する。
【００８０】
このため、ユーザは、番組再生時に、視聴できなかった番組の時間を知ることができる。
【００８１】
なお、制御部７０は、規定時間を設定するための規定時間情報を受け付けると、その規定時間情報に基づいて規定時間を設定してもよい。
【００８２】
この場合、例えば、ユーザが規定時間を任意に変更することが可能になる。よって、ユーザの好みに応じた規定時間を設定することが可能になる。
【００８３】
以上説明した実施形態において、図示した構成は単なる一例であって、本発明はその構成に限定されるものではない。
【図面の簡単な説明】
【００８４】
【図１】本発明の一実施形態の携帯端末１００を示したブロック図である。
【図２】携帯端末１００の動作を説明するためのタイミング図である。
【図３】デジタル放送の受信品質と外部記憶媒体６０へのデータ書込みとの関係を説明するためのフローチャートである。
【符号の説明】
【００８５】
１０      デジタル放送受信アンテナ
２０      チューナ
３０      デジタル放送信号処理部
４０      記憶部
５０      データ書込部
６０      外部記憶媒体
７０      データ書込制御部
８０      表示部
９０      再生部
１００      携帯端末
１００ａ    受信部
【図１】
2010141810.tif 000003
【図２】
2010141810.tif 000004
【図３】
2010141810.tif 000005